(57)【要約】  本願は、干渉源の測位方法および装置を開示し、無線通信技術分野に関する。前記方法は、全てのセルは、システム基準サブキャリアに基づき、送信および受信した干渉源検出系列を担持するためのサブキャリアに対して周波数オフセット補償を行うことと、各セルは、ローカルで生成したローカル干渉源検出系列を利用し、受信したサブキャリアが担持した前記干渉源検出系列に対して相関処理を行うことと、各セルは、行った前記相関処理の結果が相関である場合、前記干渉源検出系列を送信するセルを干渉源と判定することとを含む。本願の実施例により、システムにおいて複数種の異なる帯域幅のエイリアシングが存在する場合、各種のエイリアシングシーンをトラバースして検出する必要がなく、エイリアシング帯域幅で相関可能な系列を検出すれば、干渉セルの測位を完了することができ、測位の複雑さを低減し、計算速度を向上させることができる。【選択図】図２
2019531476.tif 000002
【特許請求の範囲】
【請求項１】
全てのセルは、システム基準サブキャリアに基づき、送信および受信した干渉源検出系列を担持するためのサブキャリアに対して周波数オフセット補償を行うことと、
各セルは、ローカルで生成したローカル干渉源検出系列を利用し、受信したサブキャリアが担持した前記干渉源検出系列に対して相関処理を行うことと、
各セルは、行った前記相関処理の結果が相関である場合、前記干渉源検出系列を送信するセルを干渉源と判定することと、を含む、
干渉源の測位方法。
【請求項２】
全てのセルは、システム基準サブキャリアに基づき、送信した干渉源検出系列を担持するためのサブキャリアに対して周波数オフセット補償を行う前に、
各セルは、セル間の帯域幅が重なって形成されるエイリアシング帯域幅に含まれるサブキャリアの数に基づき、パイロット系列を干渉源検出系列に変換することと、
変換された干渉源検出系列に対して逆高速フーリエ変換処理を行い、前記干渉源検出系列に対応する時間領域データを得ることと、を更に含む、
請求項１に記載の方法。
【請求項３】
前記各セルは、ローカルで生成したローカル干渉源検出系列を利用し、受信したサブキャリアが担持した前記干渉源検出系列に対して相関処理を行うステップは、
前記各セルは、ローカルで生成したローカル干渉源検出系列および受信したサブキャリアが担持した前記干渉源検出系列に対して周波数領域の共役ドット積算処理を行い、相関周波数領域データを得ることと、
処理により得られた相関周波数領域データに対して逆高速フーリエ変換処理を行い、相関時間領域データを得ることと、を含む、
請求項２に記載の方法。
【請求項４】
前記ローカル干渉源検出系列は、
各セルにおいて、セル間の帯域幅が重なって形成されるエイリアシング帯域幅に含まれるサブキャリアの数に基づき、ローカルで記憶した他のセルのパイロット系列をローカル干渉源検出系列に変換するステップによって得られる、
請求項３に記載の方法。
【請求項５】
前記受信したサブキャリアが担持した前記干渉源検出系列は、
各セルにおいて、受信した時間領域データに対して高速フーリエ変換処理を行い、処理により得られた周波数領域データから干渉源検出系列を抽出するステップによって得られる、
請求項３に記載の方法。
【請求項６】
前記相関時間領域データに対して時間領域ピークを探索することで、前記相関処理の結果が相関であるか否かを判定する、
請求項３に記載の方法。
【請求項７】
システム基準サブキャリアに基づき、送信および受信した干渉源検出系列を担持するためのサブキャリアに対して周波数オフセット補償を行うように構成される補償モジュールと、
ローカルで生成したローカル干渉源検出系列を利用し、受信したサブキャリアが担持した前記干渉源検出系列に対して相関処理を行うように構成される相関処理モジュールと、
前記相関処理の結果が相関である場合、前記干渉源検出系列を送信するセルを干渉源と判定するように構成されるセル測位モジュールと、を備える、
干渉源の測位装置。
【請求項８】
前記補償モジュールは、更に、送信した干渉源検出系列を担持するためのサブキャリアに対して周波数オフセット補償を行う前に、セル間の帯域幅が重なって形成されるエイリアシング帯域幅に含まれるサブキャリアの数に基づき、セルのパイロット系列を干渉源検出系列に変換し、且つ、変換された干渉源検出系列に対して逆高速フーリエ変換処理を行い、前記干渉源検出系列に対応する時間領域データを得るように構成される、
請求項７に記載の装置。
【請求項９】
前記相関処理モジュールは、ローカルで生成したローカル干渉源検出系列および受信したサブキャリアが担持した前記干渉源検出系列に対して周波数領域の共役ドット積算処理を行い、相関周波数領域データを得て、且つ、処理により得られた相関周波数領域データに対して逆高速フーリエ変換処理を行い、相関時間領域データを得る、
請求項８に記載の装置。
【請求項１０】
前記相関処理モジュールは、セル間の帯域幅が重なって形成されるエイリアシング帯域幅に含まれるサブキャリアの数に基づき、ローカルで記憶した他のセルのパイロット系列をローカル干渉源検出系列に変換する、
請求項８に記載の装置。
【請求項１１】
前記相関処理モジュールは、受信した時間領域データに対して高速フーリエ変換処理を行い、且つ、処理により得られた周波数領域データから前記干渉源検出系列を抽出する、
請求項８に記載の装置。
【請求項１２】
前記セル測位モジュールは、前記相関時間領域データに対して時間領域ピークを探索することで、前記相関処理の結果が相関であるか否かを判定する、
請求項８に記載の装置。
【請求項１３】
請求項１から６のいずれか１項に記載の方法を実行するように構成されるコンピュータ実行可能命令が記憶される、コンピュータ可読記憶媒体。
【発明の詳細な説明】
【技術分野】
【０００１】
本願は、無線通信技術分野に関し、例えば、干渉源の測位方法および装置に関する。
【背景技術】
【０００２】
時分割複信ＬＴＥ（Ｔｉｍｅ  Ｄｉｖｉｓｉｏｎ  Ｌｏｎｇ  Ｔｅｒｍ  Ｅｖｏｌｕｔｉｏｎ、ＴＤ−ＬＴＥ）システムにおいて、基地局に対して厳密的に時間同期を保持することが要求され、一般的に、全地球測位システム（Ｇｌｏｂａｌ  Ｐｏｓｉｔｉｏｎｉｎｇ  Ｓｙｓｔｅｍ、ＧＰＳ）による同期方式で基地局間のタイミング同期を確保する。同一周波数でカバーする方式を採用してネット構築を行うため、隣接セル間の相互干渉が存在する。ＴＤ−ＬＴＥシステムの上り・下り送信が周波数を共有するため、ＴＤ−ＬＴＥシステムには、従来のセル間の干渉に加え、ターゲットセルの上り信号が遠端の基地局の下り信号に干渉される場合も存在する。
【０００３】
電磁波の伝搬特性により、ある場合に、例えば、空気における伝搬環境が良く、大気ダクト効果（Ｔｒｏｐｏｓｐｈｅｒｉｃ  Ｄｕｃｔｉｎｇ  Ｅｆｆｅｃｔ）等の要因で、遠く離れた（例えば、数十キロないし数百キロ）基地局の間に、ＴＤ−ＬＴＥシステムの遠距離の同一周波数干渉が発生可能であり、且つ、遠端の送信源からの下り信号は、伝搬遅延を経て近端の同一周波数のターゲット基地局に到達した後に、ターゲット基地局の他の伝送スロットに入る可能性があり、近端のターゲットシステムの正常な動作に影響を及ぼし、且つ、このような干渉は、複数の基地局からの重畳結果である可能性がある。
【０００４】
実際の応用において、干渉を行うセルの一定のスロットにおいて特定のカスタマイズパイロット系列を送信し、その後、干渉対象となるセル側において該特定の「カスタマイズパイロット系列」を検出することが考えられる。ここで、「カスタマイズパイロット系列」が「特殊パイロット」と呼ばれる。該「特殊パイロット」と干渉を行うセルとは一定の方式で１対１に対応されるため、干渉対象となるセルは、対応する「特殊パイロット」を検出すれば、どの遠端のセルに干渉されたかを知ることができる。
【０００５】
異なる帯域幅が存在する実際のシステムにおいて、異なる帯域幅が互いに干渉する場合は存在し、上記「特殊パイロット」の設計案により、以下の問題が存在する。
【０００６】
１、受信端は、帯域幅の組み合わせの全ての可能な方式をトラバースする必要があり、システムの「特殊パイロット」系列の数が多く、受信端の検出は、各種の組み合わせの帯域幅をトラバースする必要があり、複雑さが大きい。図１は、従来技術に係るＴ各種の帯域幅の大気ダクト干渉図であり、図１に示すように、システムは２０Ｍおよび１０Ｍから構成される。ターゲットセルは３つのセルに干渉され、「特殊パイロット」系列は、２０Ｍが１つの系列に対応し、１０Ｍが１つの系列に対応するように設計されると、ターゲットセルは、干渉を行ったのはどのセルであるかを知ることができるために、２０Ｍ帯域幅内で、２０Ｍに対応する系列を検出することと、上半１０Ｍ帯域幅内で、２０Ｍに対応する下半帯域幅の系列を検出することと、上半１０Ｍ帯域幅内で、１０Ｍに対応する系列を検出することとを含むいくつかの検出をトラバースする必要がある。また、異なるターゲットセルに対して、行う必要があるトラバース検出も異なる。システム全体はかなり複雑になる。
【０００７】
２、異なるセルのサブキャリアは、周波数領域において完全に一致していない可能性があり、受信端が周波数補償を行うと、複雑さを増加し、周波数補償を行わないと、一定の性能損失が発生する。
【発明の概要】
【発明が解決しようとする課題】
【０００８】
本開示の実施例に係る技術案は、システムが干渉源を測位する時の複雑さを低減する。
【課題を解決するための手段】
【０００９】
本開示の実施例に係る干渉源の測位方法は、
全てのセルは、システム基準サブキャリアに基づき、送信および受信した干渉源検出系列を担持するためのサブキャリアに対して周波数オフセット補償を行うことと、
各セルは、ローカルで生成したローカル干渉源検出系列を利用し、受信したサブキャリアが担持した前記干渉源検出系列に対して相関処理を行うことと、
各セルは、行った前記相関処理の結果が相関である場合、前記干渉源検出系列を送信したセルを干渉源と判定することと、を含む。
【００１０】
全てのセルは、システム基準サブキャリアに基づき、送信した干渉源検出系列を担持するためのサブキャリアに対して周波数オフセット補償を行う前に、
各セルは、セル間の帯域幅が重なって形成されるエイリアシング帯域幅に含まれるサブキャリアの数に基づき、パイロット系列を干渉源検出系列に変換することと、
変換された干渉源検出系列に対して逆高速フーリエ変換処理を行い、前記干渉源検出系列に対応する時間領域データを得ることと、を更に含んでもよい。
【００１１】
前記各セルは、ローカルで生成したローカル干渉源検出系列を利用し、受信したサブキャリアが担持した前記干渉源検出系列に対して相関処理を行うステップは、
前記各セルは、ローカルで生成したローカル干渉源検出系列および受信したサブキャリアが担持した前記干渉源検出系列に対して周波数領域の共役ドット積算処理を行い、相関周波数領域データを得ることと、
処理により得られた相関周波数領域データに対して逆高速フーリエ変換処理を行い、相関時間領域データを得ることと、を含んでもよい。
【００１２】
前記ローカル干渉源検出系列は、
各セルにおいて、セル間の帯域幅が重なって形成されるエイリアシング帯域幅に含まれるサブキャリアの数に基づき、ローカルで記憶した他のセルのパイロット系列をローカル干渉源検出系列に変換するステップによって得られてもよい。
【００１３】
前記受信したサブキャリアが担持した前記干渉源検出系列は、
各セルにおいて、受信した時間領域データに対して高速フーリエ変換処理を行い、処理により得られた周波数領域データから干渉源検出系列を抽出するステップによって得られてもよい。
【００１４】
前記相関時間領域データに対して時間領域ピークを探索することで、前記相関処理の結果が相関であるか否かを判定してもよい。
【００１５】
本開示の実施例に係る記憶媒体は、上記干渉源の測位方法を実現するためのプログラムを記憶する。例えば、本開示の実施例は、上記方法を実行するように構成されるコンピュータ実行可能命令が記憶されるコンピュータ可読記憶媒体を提供する。
【００１６】
本開示の実施例に係る干渉源の測位装置は、
システム基準サブキャリアに基づき、送信および受信した干渉源検出系列を担持するためのサブキャリアに対して周波数オフセット補償を行うように構成される補償モジュールと、
ローカルで生成したローカル干渉源検出系列を利用し、受信したサブキャリアが担持した前記干渉源検出系列に対して相関処理を行うように構成される相関処理モジュールと、
前記相関処理の結果が相関である場合、前記干渉源検出系列を送信したセルを干渉源と判定するように構成されるセル測位モジュールと、を備える。
【００１７】
前記補償モジュールは、更に、送信した干渉源検出系列を担持するためのサブキャリアに対して周波数オフセット補償を行う前に、セル間の帯域幅が重なって形成されるエイリアシング帯域幅に含まれるサブキャリアの数に基づき、セルのパイロット系列を干渉源検出系列に変換し、且つ、変換された干渉源検出系列に対して逆高速フーリエ変換処理を行い、前記干渉源検出系列に対応する時間領域データを得るように構成されてもよい。
【００１８】
前記相関処理モジュールは、ローカルで生成したローカル干渉源検出系列および受信したサブキャリアが担持した前記干渉源検出系列に対して周波数領域の共役ドット積算処理を行い、相関周波数領域データを得て、且つ、処理により得られた相関周波数領域データに対して逆高速フーリエ変換処理を行い、相関時間領域データを得てもよい。
【００１９】
前記相関処理モジュールは、セル間の帯域幅が重なって形成されるエイリアシング帯域幅に含まれるサブキャリアの数に基づき、ローカルで記憶した他のセルのパイロット系列をローカル干渉源検出系列に変換してもよい。
【００２０】
前記相関処理モジュールは、受信した時間領域データに対して高速フーリエ変換処理を行い、且つ、処理により得られた周波数領域データから前記干渉源検出系列を抽出してもよい。
【００２１】
前記セル測位モジュールは、前記相関時間領域データに対して時間領域ピークを探索することで、前記相関処理の結果が相関であるか否かを判定してもよい。
【００２２】
本開示の実施例は、
少なくとも１つのプロセッサと、
前記少なくとも１つのプロセッサに通信接続されたメモリと、
を備える電子機器であって、
前記メモリには、前記少なくとも１つのプロセッサによって実行可能な命令が記憶され、前記少なくとも１つのプロセッサが上記方法を実行するために、前記命令は前記少なくとも１つのプロセッサによって実行される、電子機器を更に提供する。
【発明の効果】
【００２３】
本開示の実施例により、システムにおいて複数種の異なる帯域幅のエイリアシングが存在する場合、各種のエイリアシングシーンをトラバースして検出する必要がなく、エイリアシング帯域幅で相関可能な系列を検出すれば、干渉セルの測位を完了することができ、測位の複雑さを低減し、計算速度を向上させることができる。
【図面の簡単な説明】
【００２４】
【図１】従来技術に係るＴ各種の帯域幅の大気ダクト干渉図である。
【図２】本開示の実施例に係る干渉源の測位のフローチャートである。
【図３】本開示の実施例に係る干渉源の測位装置のブロック図である。
【図４】本開示の実施例に係るエイリアシング帯域幅の判定模式図である。
【図５】本開示の実施例に係るセル間のサブキャリアが一致する例を示す図である。
【図６】本開示の実施例に係る干渉セル１の信号生成方式のフローチャートである。
【図７】本開示の実施例に係る干渉セル２の信号生成方式のフローチャートである。
【図８】本開示の実施例に係る干渉セル３の信号生成方式のフローチャートである。
【図９】本開示の実施例に係る２０Ｍのターゲットセルの受信端の信号を受信するフローチャートである。
【図１０】本開示の実施例に係る２０Ｍの干渉セル１の受信端の信号を受信するフローチャートである。
【図１１】本開示の実施例に係る２０Ｍの干渉セル２の受信端の信号を受信するフローチャートである。
【図１２】本開示の実施例に係る１０Ｍの干渉セル３の受信端の信号を受信するフローチャートである。
【図１３】本開示の実施例に係る電子機器の構造模式図である。
【発明を実施するための形態】
【００２５】
以下、図面を参照しながら、本開示の実施例について詳細に説明し、以下に説明する実施例は、本開示を説明および解釈するためのものに過ぎず、本開示を限定するものではない。
【００２６】
図２は、本開示の実施例に係る干渉源の測位のフローチャートであり、図２に示すように、以下のステップを含む。
【００２７】
ステップＳ１０１において、全てのセルは、システム基準サブキャリアに基づき、送信および受信した干渉源検出系列を担持するためのサブキャリアに対して周波数オフセット補償を行う。全てのセルは、システム基準サブキャリアに基づき、各セルが受信した干渉源検出系列を担持するためのサブキャリアを前記システム基準サブキャリアと一致させるように、送信した干渉源検出系列を担持するためのサブキャリアに対して周波数オフセット補償を行う。各セルは、システム基準サブキャリアに基づき、受信した干渉源検出系列を担持するためのサブキャリアを該セルのサブキャリアと一致させるように、受信した干渉源検出系列を担持するためのサブキャリアに対して周波数オフセット補償を行う。例えば、セル１のサブキャリアが２０ｋＨｚで、セル２のサブキャリアが２１ｋＨｚで、システム基準サブキャリアが１５ｋＨｚであり、セル１は、信号生成期間において、送信したサブキャリアに対して周波数オフセット補償を行う必要があり、補償値は−５ｋＨｚであり、それにより、セル１が送信したサブキャリアをシステム基準サブキャリアと一致させる。セル２は、システム基準サブキャリアに基づき、セル２が受信したサブキャリアをセル２のサブキャリアと一致させるように、受信したセル１からのサブキャリアに対して周波数オフセット補償を行い、補償値は６ｋＨｚである。
【００２８】
ターゲットセルのサブキャリアをシステム基準サブキャリアとすると、前記ターゲットセルは、送信および受信した干渉源検出系列を担持するためのサブキャリアに対してゼロ周波数オフセット補償を行い、すなわち、周波数オフセット補償値がゼロであり、他のセルはターゲットセルのサブキャリアを基準とし、送信および受信した干渉源検出系列を担持するためのサブキャリアに対して周波数オフセット補償を行い、送信した干渉源検出系列を担持するためのサブキャリアを前記ターゲットセルのサブキャリアと一致させ、受信した干渉源検出系列を担持するためのサブキャリアをローカルのサブキャリアと一致させる。
【００２９】
各セルは、システム基準サブキャリアに基づき、送信した干渉源検出系列を担持するためのサブキャリアに対して周波数オフセット補償を行う前に、各セルは、セル間の帯域幅が重なって形成されるエイリアシング帯域幅に含まれるサブキャリアの数に基づき、パイロット系列を干渉源検出系列に変換し、且つ、変換された干渉源検出系列に対して逆高速フーリエ変換処理を行い、前記干渉源検出系列に対応する時間領域データを得る。
【００３０】
例えば、セルａの帯域幅が２ｎ＊Ｂであり、エイリアシング帯域幅がＢであり、エイリアシング帯域幅はＮｓｕｂｃａｒｒｉｅｒを含み、該セルａのパイロット系列の長さはＮｓｅｑｕｅｎｃｅであり、且つ、ＮｓｅｑｕｅｎｃｅはＮｓｕｂｃａｒｒｉｅｒよりも小さい。この場合、送信方向では、まず、セルａは、ゼロパディング処理によりそのパイロット系列を拡張し、拡張後の系列の長さをＮｓｕｂｃａｒｒｉｅｒに等しくする。次に、拡張後の系列における正周波数データおよび負周波数データに対して交換処理を行い、交換処理により得られた系列の間にゼロパディング処理を行うことで、干渉源検出系列を得、該系列の長さはＮＦＦＴである。続いて、逆高速フーリエ変換等の方式により、該干渉源検出系列に対して周波数領域から時間領域への変換処理を行い、セルａに対し、干渉源検出系列の長さを２ｎ＊ＮＦＦＴに拡張してから周波数領域から時間領域への変換を行う必要があり、干渉源検出系列に対応する時間領域データを得る。その後、セルａはそのサブキャリアに対して周波数補償を行った後に、得られた時間領域データにサイクリックシフトデータを追加して送信する。受信方向では、セルａは、受信したパイロット系列が位置するシンボルのデータからサイクリックシフトデータを除去し、且つデータを受信するサブキャリアに対して周波数補償を行う。
【００３１】
ここで、長さがＮＦＦＴである干渉源検出系列を長さが２ｎ＊ＮＦＦＴである系列に拡張する時、様々な方式により実現でき、例えば、２ｎ個の干渉源検出系列を繋ぎ合わせることで、長さが２ｎ＊ＮＦＦＴである系列を得、他の系列を繋ぎ合わせることで、長さが２ｎ＊ＮＦＦＴである系列を得る。
【００３２】
ステップＳ１０２において、各セルは、ローカルで生成したローカル干渉源検出系列を利用し、受信したサブキャリアが担持した前記干渉源検出系列に対して相関処理を行う。
【００３３】
ステップＳ１０２を実行する際に、各セルは、ローカルで生成したローカル干渉源検出系列と、受信したサブキャリアが担持した前記干渉源検出系列とに対して周波数領域の共役ドット積算処理を行い、相関周波数領域データを得るとともに、処理により得られた相関周波数領域データに対して逆高速フーリエ変換処理を行い、相関時間領域データを得る。
【００３４】
ここで、各セルは、セル間の帯域幅が重なって形成されるエイリアシング帯域幅に含まれるサブキャリアの数に基づき、ローカルで記憶した他のセルのパイロット系列をローカル干渉源検出系列に変換する。例えば、セルａは、ゼロパディング処理により、ローカルで記憶した長さがＮｓｕｂｃａｒｒｉｅｒに等しい他のセルのパイロット系列を拡張し、拡張後の系列の長さをＮｓｕｂｃａｒｒｉｅｒに等しくさせ、且つ、拡張後の系列における正周波数データおよび負周波数データに対して交換処理を行い、交換処理により得られた系列の間にゼロパディング処理を行うことにより、ローカル干渉源検出系列を得、該ローカル干渉源検出系列の長さはＮＦＦＴである。
【００３５】
ここで、各セルは、受信した時間領域データに対して高速フーリエ変換処理を行い、処理により得られた周波数領域データから干渉源検出系列を抽出する。例えば、セルａは、サイクリックシフトデータが除去された時間領域データに対して高速フーリエ変換処理を行い、長さが２ｎ＊ＮＦＦＴである周波数領域データを得、前記長さが２ｎ＊ＮＦＦＴである周波数領域データから、エイリアシング帯域幅に対応する長さがＮＦＦＴである干渉源検出系列を抽出する。
【００３６】
ローカル干渉源検出系列および干渉源検出系列を得た後に、ローカル干渉源検出系列の共役ドット積算干渉源検出系列を使用し、相関周波数領域データＲを得て、相関周波数領域データＲに対して周波数領域から時間領域への変換処理を行い、相関時間領域データＲｔを得る。
【００３７】
ステップＳ１０３において、各セルは、行った前記相関処理の結果が相関である場合、前記干渉源検出系列を送信したセルを干渉源と判定する。
【００３８】
前記相関時間領域データＲｔに対して時間領域ピークを探索することで、前記相関処理の結果が相関であるか否かを判定し、明らかなピークがあれば、ローカル干渉源検出系列に対応する既知のセルは干渉を行ったセルであり、すなわち、干渉源である。
【００３９】
本開示の実施例は、周波数オフセット事前補償されたサブキャリアが一致する「特殊パイロット（すなわち、カスタマイズパイロット系列）」の送信および受信による検出方式を採用し、システムの複雑さを低減することができる。
【００４０】
当業者は、上記実施例の方法における全てまたは一部のステップの実現は、コンピュータ可読記憶媒体に記憶可能なプログラムが関連するハードウェアを指示することによって行うことができ、該プログラムは実行される時、ステップＳ１０１〜ステップＳ１０３を含むことが理解できる。ここで、前記の記憶媒体はＲＯＭ／ＲＡＭ、磁気ディスク、光ディスク等であってもよい。
【００４１】
例えば、本開示の実施例は、上記いずれかの実施例における方法を実行するように構成されるコンピュータ実行可能命令が記憶されるコンピュータ可読記憶媒体を提供する。
【００４２】
前記コンピュータ可読記憶媒体は、一時的コンピュータ可読記憶媒体であってもよく、非一時的コンピュータ可読記憶媒体であってもよい。
【００４３】
図３は、本開示の実施例に係る干渉源の測位装置のブロック図であり、図３に示すように、以下の部材を含む。
【００４４】
補償モジュール１０は、システム基準サブキャリアに基づき、送信および受信した干渉源検出系列を担持するためのサブキャリアに対して周波数オフセット補償を行い、各セルが受信した干渉源検出系列を担持するためのサブキャリアを前記システム基準サブキャリアと一致させるように構成される。補償モジュール１０は、更に、送信した干渉源検出系列を担持するためのサブキャリアに対して周波数オフセット補償を行う前に、セル間の帯域幅が重なって形成されるエイリアシング帯域幅に含まれるサブキャリアの数に基づき、セルのパイロット系列を干渉源検出系列に変換し、且つ、変換された干渉源検出系列に対して逆高速フーリエ変換処理を行い、前記干渉源検出系列に対応する時間領域データを得るように構成されてもよい。
【００４５】
相関処理モジュール２０は、ローカルで生成したローカル干渉源検出系列を利用し、受信したサブキャリアが担持した前記干渉源検出系列に対して相関処理を行うように構成される。相関処理モジュール２０は、まず、受信した時間領域データに対して高速フーリエ変換処理を行い、処理により得られた周波数領域データから前記干渉源検出系列を抽出し、且つ、セル間の帯域幅が重なって形成されるエイリアシング帯域幅に含まれるサブキャリアの数に基づき、ローカルで記憶した他のセルのパイロット系列をローカル干渉源検出系列に変換し、続いて、ローカルで生成したローカル干渉源検出系列および受信したサブキャリアが担持した前記干渉源検出系列に対して周波数領域の共役ドット積算処理を行い、相関周波数領域データを得、その後、処理により得られた相関周波数領域データに対して逆高速フーリエ変換処理を行い、相関時間領域データを得る。
【００４６】
セル測位モジュール３０は、前記相関処理の結果が相関である場合、前記干渉源検出系列を送信するセルを干渉源と判定するように構成される。セル測位モジュール３０は、前記相関時間領域データに対して時間領域ピークを探索することで、前記相関処理の結果が相関であるか否かを判定し、明らかなピークがあれば、ローカル干渉源検出系列に対応する既知のセルは干渉源である。
【００４７】
本開示の実施例は、パイロット系列により干渉源セルを測位することができ、システム全体の送信端で、本開示の実施例の「特殊パイロット」という設計案に従って信号を送信し、受信端で、本開示の実施例に係る検出フローに従って関連する「特殊パイロット」を検出することにより、干渉信号が位置するセルの測位、すなわち、干渉を実施したセルの測位を行う。
【００４８】
以下、図４から図６を参照しながら、本開示の実施例について更に説明する。
【００４９】
干渉を行ったセルは、特定の時間領域および周波数領域リソースにおいて、特定のカスタマイズパイロット系列、すなわち、「特殊パイロット」を送信する。干渉対象となるセルは、特定の時間領域周波数領域リソースにおいて該特定のカスタマイズパイロット系列、すなわち、「特殊パイロット」を検出する。各セルが送信したカスタマイズパイロットは、システムの他の全てのセルにとって既知なものである。
【００５０】
システム全体に複数種の帯域幅の組み合わせが存在し、それらの間に帯域幅が重なる部分が存在すると、本開示の実施例は、それらのエイリアシング領域をエイリアシング帯域幅と呼び、エイリアシング帯域幅ＢＩｎｖ＿ｘは、図４に示すような本開示の実施例に係るエイリアシング帯域幅の判定模式図である。エイリアシング帯域幅ＢＩｎｖは、一定のガード帯域幅を除去した後、Ｎｓｕｂｃａｒｒｉｅｒ個のサブキャリアを含む。システム全体のエイリアシング帯域幅は、１枚または複数枚のＢＩｎｖ＿ｘであってもよい。各エイリアシング帯域幅は、いずれも同じ方式で処理される。そのため、以下、そのうちの１つのエイリアシング帯域幅ＢＩｎｖの処理フローのみを説明する。
【００５１】
エイリアシング帯域幅ではない部分は、エイリアシング帯域幅部分と同じ方式で処理されてもよいし、何も処理しなくてもよいし、システム干渉の測位機能に影響を及ぼさない。
【００５２】
エイリアシング帯域幅において、２つずつのセル間のサブキャリアは完全に一致するのではない。図４におけるターゲットセルが干渉セル１のサブキャリアと一致すると設定すると、それらのサブキャリアの周波数オフセットは０Ｈｚであり、ターゲットセルが干渉セル２のサブキャリアと一致しないと設定すると、それらのサブキャリアの一致しない周波数オフセットはｆ＿２０Ｈｚであり、ターゲットセルが干渉セル３のサブキャリアと一致しないと設定すると、それらのサブキャリアの一致しない周波数オフセットはｆ＿３０Ｈｚである。システム全体では、１つの「システムのサブキャリア基準」（すなわち、システムの基準サブキャリア）を規定し、その後、全てのセルのサブキャリアはいずれもこの「システムのサブキャリア基準」を基準とし、送信端は、信号を送信するキャリアが「システムのサブキャリア基準」と一致するように、対応する周波数オフセット事前補償（すなわち、周波数補償）を行い、受信端は、信号を受信するキャリアが受信端のサブキャリアと一致するように、対応する周波数オフセット事前補償を行う。例えば、システムは、ターゲットセルが位置するキャリアを「システムサブキャリア基準」とすると、干渉セル２は送受信端でｆ＿２０Ｈｚの周波数オフセット事前補償を行う必要があり、干渉セル３は送受信端でｆ＿３０Ｈｚの周波数オフセット事前補償を行う必要がある。
【００５３】
システムにおける全てのセルは、エイリアシング帯域幅ＢＩｎｖを基本単位としてパイロット系列を設計する。該パイロット系列は、ｍ系列、ｇｏｌｄ系列、ＺＣ系列、または他の自己相関性が良く、相互相関性が良くない系列であってもよい。
【００５４】
設計されたパイロットの系列長さがＮｓｕｂｃａｒｒｉｅｒよりも小さいと、Ｎｓｅｑｕｅｎｃｅと表記し、長さがＮｓｅｑｕｅｎｃｅである「特殊パイロット」系列の前または後ろまたは中間またはそれらの組み合わせ部分にゼロの値を挿入し、Ｎｓｕｂｃａｒｒｉｅｒの長さにする。その後、正負の周波数の交換をして中間ゼロパディングを行ってＮＦＦＴにし、その後、ＮＦＦＴ点の逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）操作を行い、ＮＦＦＴ点の時間領域データを生成し、時間領域データに対して対応する周波数オフセット事前補償を行い、その後、Ｎｃｐ点のサイクリックシフトデータ（Ｃｙｃｌｉｃ  Ｐｒｅｆｉｘ、ＣＰ）を追加してから送信し、図６から図８に示すとおりである。
【００５５】
受信端は、「特殊パイロット」が位置するシンボルの（Ｎｃｐ＋２ｎ＊ＮＦＦＴ）点のデータを受信した後に（ｎ＝０、１、２…）、まず、Ｎｃｐ点のＣＰデータを除去し、その後、ＮＦＦＴ点の高速フーリエ変換（Ｆａｓｔ  Ｆｏｕｒｉｅｒ  Ｔｒａｎｓｆｏｒｍ、ＦＦＴ）操作を行い、２ｎ＊ＮＦＦＴ点の周波数領域データを得て、エイリアシング帯域幅に対応するＮＦＦＴ点の時間領域データを取り、Ｙｉｎｖを得る。同時に、受信端は、ローカルで長さがＮｓｅｑｕｅｎｃｅであるシステムにおける全ての可能な特殊パイロット系列を、干渉を実施したセルと同じ方式で周波数領域データＳを生成する。Ｒ＝Ｓ＊．＊Ｙｉｎｖであり、ＳとＹｉｎｖとの共役ドット積算操作を完了する。Ｒに対してＮＦＦＴ点のＩＦＦＦ操作を行ってＮＦＦＴ点の時間領域データＲｔを得て、ローカルの系列と送信端の系列とが同じであれば、Ｒｔは１つの明らかなピークを有し、受信端はこれにより、干渉がどのセルに由来する情報を判定することができ、図９から図１２に示すとおりである。
【００５６】
本開示の実施例の送信端の信号生成方式は、帯域幅がＢＩｎｖに等しいセルのパイロット設計および信号生成方式を含み、各ＢＩｎｖの周波数領域データから時間領域データを生成するために様々な方式があり得るが、本開示の実施例は、そのうちの１種しか示さない。
【００５７】
送信端の信号生成方式は、帯域幅が２ｎ＊ＢＩｎｖに等しいセル（ｎ＝０、１、２、３…）のパイロット設計および信号生成方式を含む。各ＢＩｎｖの周波数領域データから時間領域データを生成するために様々な方式があり得るが、本開示の実施例は、そのうちの１種しか示さない。
【００５８】
本開示の実施例の受信端の信号の検出は、エイリアシング帯域幅で検出すればよい。
【００５９】
図５は、本開示の実施例に係るセル間のサブキャリアが一致する例を示す図であり、図５に示すように、サブキャリアが一致しない実施例は以下のとおりである。ターゲットセルの無線周波数キャリア周波数が２．６Ｇで、干渉セル３の無線周波数キャリア周波数が２．６０５Ｇであり、２０Ｍの帯域幅の上下にそれぞれ１Ｍのガード帯域幅があることを考慮すると、１０Ｍのセルの上下にそれぞれ０．５Ｍのガード帯域幅がある。２つのセルのサブキャリアが一致しない場合を図５に示す。システムがターゲットセルのサブキャリアを「システムサブキャリア基準」とすると、干渉セル３は、周波数オフセット（１５０００＊ｉ−５０００）Ｈｚまたは（１５０００＊ｉ＋１００００）Ｈｚ（一般的に、事前補償される周波数オフセットの値を１５ＫＨｚよりも小さくする）を事前補償する必要がある。
【００６０】
以下、図６から図１２を参照しながら、本開示の実施例について更に説明する。
【００６１】
ｆ００は、ターゲットセルと自分の「システムサブキャリア基準」との周波数オフセットの値であり、実際には、０ＨＺに等しい。
【００６２】
ｆ１０は、干渉セル１とターゲットセルの「システムサブキャリア基準」との周波数オフセットの値である。
【００６３】
ｆ２０は、干渉セル２とターゲットセルの「システムサブキャリア基準」との周波数オフセットの値である。
【００６４】
ｆ３０は、干渉セル３とターゲットセルの「システムサブキャリア基準」との周波数オフセットの値である。
【００６５】
システムは、ターゲットセルのサブキャリアを「システムサブキャリア基準」とし、干渉セル１の信号生成方式は図６に示すように、以下のステップを含む。干渉セル１は、長さがＮｓｅｑｕｅｎｃｅであるパイロット系列に対してゼロを挿入し、例えば、系列の前または後ろまたは中間または組み合わせにゼロを挿入し、長さがＮｓｕｂｃａｒｒｉｅｒである系列を得て、その後、長さがＮｓｕｂｃａｒｒｉｅｒである系列に対して正負交換および中間ゼロパディング処理を行い、長さがＮＦＦＴである干渉源検出系列を得、２つのＮＦＦＴの系列を長さが２＊ＮＦＦＴである系列に繋ぎ合わせた後、該系列をＩＦＦＴ変換し、干渉源検出系列に対応する時間領域データを得る。干渉セル１のサブキャリアに対して周波数補償（周波数オフセットの値ｆ１０で補償する）を行った後、得られた時間領域データにＣＰデータを追加して送信する。
【００６６】
図７は、本開示の実施例に係る干渉セル２の信号生成方式のフローチャートであり、図７に示すように、干渉セル２は、長さがＮｓｅｑｕｅｎｃｅであるパイロット系列に対してゼロを挿入し、例えば、系列の前または後ろまたは中間または組み合わせにゼロを挿入し、長さがＮｓｕｂｃａｒｒｉｅｒである系列を得、その後、長さがＮｓｕｂｃａｒｒｉｅｒである系列に対して正負交換および中間ゼロパディング処理を行い、長さがＮＦＦＴである干渉源検出系列を得、２つのＮＦＦＴの系列を長さが２＊ＮＦＦＴである系列に繋ぎ合わせた後、該系列をＩＦＦＴ変換し、干渉源検出系列に対応する時間領域データを得る。干渉セル２のサブキャリアに対して周波数補償（周波数オフセットの値ｆ２０で補償する）を行った後、得られた時間領域データにＣＰデータを追加して送信する。
【００６７】
図８は、本開示の実施例に係る干渉セル３の信号生成方式のフローチャートであり、図８に示すように、干渉セル３は、長さがＮｓｅｑｕｅｎｃｅであるパイロット系列に対してゼロを挿入し、例えば、系列の前または後ろまたは中間または組み合わせにゼロを挿入し、長さがＮｓｕｂｃａｒｒｉｅｒである系列を得、その後、長さがＮｓｕｂｃａｒｒｉｅｒである系列に対して正負交換および中間ゼロパディング処理を行い、長さがＮＦＦＴの干渉源検出系列を得、該系列をＩＦＦＴ変換し、干渉源検出系列に対応する時間領域データを得る。干渉セル３のサブキャリアに対して周波数補償（周波数オフセットの値ｆ３０で補償する）を行った後、得られた時間領域データにＣＰデータを追加して送信する。
【００６８】
３つのセルの系列は異なっても、同じであってもよく、同じである場合、他の情報により異なるセルを区別することができ、これらの情報はシステム全体で事前に設定されている。
【００６９】
図９は、本開示の実施例に係る２０Ｍのターゲットセルの受信端の信号を受信するフローチャートであり、図９に示すように、２０Ｍのターゲットセルは、受信したパイロット系列が位置するシンボルのデータからＣＰデータを除去し、且つデータを受信するサブキャリアに対して周波数補償（周波数オフセットの値−ｆ００で補償する）を行い、ＣＰデータが除去された時間領域データに対してＦＦＴ変換処理を行い、長さが２ｎ＊ＮＦＦＴである周波数領域データを得て、前記長さが２ｎ＊ＮＦＦＴである周波数領域データから、エイリアシング帯域幅に対応する長さがＮＦＦＴである干渉源検出系列Ｙｉｎｖを抽出する。また、ターゲットセルは、ローカルで記憶した長さがＮｓｕｂｃａｒｒｉｅｒに等しい他のセルのパイロット系列に対してゼロパディング処理を行い、長さがＮｓｕｂｃａｒｒｉｅｒに等しい系列を得て、且つ、該系列に対して正負の周波数の交換および中間ゼロパディング処理を行い、ローカル干渉源検出系列Ｓを得、該ローカル干渉源検出系列の長さはＮＦＦＴである。ターゲットセルは、数式Ｒ＝Ｓ＊．＊Ｙｉｎｖを利用し、相関周波数領域データＲを得、相関周波数領域データＲに対してＮＦＦＴ点のＩＦＦＦ操作を行ってＮＦＦＴ点の時間領域データＲｔを得、その後、時間領域ピークを探索し、Ｒｔに１つの明らかなピークが存在すれば、ローカル干渉源検出系列Ｓに対応するセルは干渉セルである。
【００７０】
図１０は、本開示の実施例に係る２０Ｍの干渉セル１の受信端の信号を受信するフローチャートであり、図９に示す実施例と比べ、周波数補償を行う際に、周波数オフセットの値−ｆ１０で補償することのみが異なるため、ここでは説明を省略する。
【００７１】
図１１は、本開示の実施例に係る２０Ｍの干渉セル２の受信端の信号を受信するフローチャートであり、図９に示す実施例と比べ、周波数補償を行う際に、周波数オフセットの値−ｆ２０で補償することのみが異なるため、ここでは説明を省略する。
【００７２】
図１２は、本開示の実施例に係る１０Ｍの干渉セル３の受信端の信号を受信するフローチャートであり、図９に示す実施例と比べ、周波数補償を行う際に、周波数オフセットの値−ｆ３０で補償することのみが異なるため、ここでは説明を省略する。
【００７３】
本開示の実施例の技術案は、ソフトウェア製品の形式で具現化することができ、該コンピュータソフトウェア製品は、１つの記憶媒体に記憶され、１台のコンピュータ装置（パーソナルコンピュータ、サーバ、またはネットワークデバイス等であってもよい）が本開示の実施例に係る方法の全てまたは一部のステップを実行するための１つまたは複数の命令を含む。前述した記憶媒体は、ＵＳＢ、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスク等の複数種のプログラムコードが記憶可能な媒体を含む非一時的記憶媒体であってもよく、一時的記憶媒体であってもよい。
【００７４】
本開示の実施例は、システムにおいて複数種の異なる帯域幅のエイリアシングが存在する場合、各種のエイリアシングシーンをトラバースして検出する必要がなく、エイリアシング帯域幅で相関可能な系列を検出すれば、干渉セルの検出と測位を完了することができる。
【００７５】
以上で本開示を詳細に説明したが、本開示はこれに限定されるものではなく、当業者は、本開示の実施例に基づいて様々な修正を行うことができる。そのため、本開示の実施例により行われた修正は、いずれも本開示の保護範囲に含まれると理解すべきである。
【図１】
2019531476.tif 000003
【図２】
2019531476.tif 000004
【図３】
2019531476.tif 000005
【図４】
2019531476.tif 000006
【図５】
2019531476.tif 000007
【図６】
2019531476.tif 000008
【図７】
2019531476.tif 000009
【図８】
2019531476.tif 000010
【図９】
2019531476.tif 000011
【図１０】
2019531476.tif 000012
【図１１】
2019531476.tif 000013
【図１２】
2019531476.tif 000014
【図１３】
2019531476.tif 000015
【国際調査報告】
2019531476.tif 000016
2019531476.tif 000017
2019531476.tif 000018
2019531476.tif 000019